(57)【要約】      （修正有）【課題】医療検査用顕微鏡の標本を作製するに際し、検体をパラフィンで包埋してなるパラフィンブロックをスライスして薄片を切り出す際、パラフィンブロックがカセット本体から剥離しないようにすること。【解決手段】カセット本体1 の底部2 には多数の透孔3 が設けられ、また、これらの透孔3 を区画している格子部4 には微細な波形状部5 を設けている。また、この波形状部5 を形成する山部５ａ、谷部５ｂの方向は、縦・横の格子部4 とも同方向で、スライスする際の移動方向(Sで示す) と直交する方向に設けられる。そしてこの波形状部5 が、スライス時における圧力に抗すると共に、またそれによって結合力が向上したことにより、カセット本体1 の透孔3 に充填された柱状のパラフィン部２４ａに作用する力が極端に軽減され、パラフィンブロック２５が、カセット本体1 から剥離することが防止される。【選択図】  図１
2006300620.tif 000002
【特許請求の範囲】
【請求項１】
上面を開放し、多数の透孔を有する方形の容器からなるカセット本体と、多数の透孔を有し、前記カセット本体と着脱自在に係合する蓋体とからなる医療検査用カセットにおいて、前記カセット本体の底部外表面を微細な凹凸形状としたことを特徴とする医療検査用カセット。
【請求項２】
微細な凹凸形状が波形状からなる請求項1 記載の医療検査用カセット。
【請求項３】
微細な凹凸形状がシボからなる請求項1 記載の医療検査用カセット。
【請求項４】
微細な凹凸形状が梨地からなる請求項1 記載の医療検査用カセット。
【発明の詳細な説明】
【技術分野】
【０００１】
本発明は、医療検査用顕微鏡標本の作製に使用する医療検査用カセットに関し、更に詳しくは、カセット本体の底部の外表面上に、標本となる検体をパラフィンで包埋してパラフィンブロックを形成し、該パラフィンブロックをスライスして薄片を切り出す際に生じるパラフィンブロックのカセット本体からの剥離現象を改良した医療検査用カセットに関する。
【背景技術】
【０００２】
従来の医療検査用顕微鏡標本の作製に使用する医療検査用カセットの一例としては、耐薬品性合成樹脂からなるカセット本体と、これに被着する蓋とから成り、カセット本体は、上面を開放した方形の容器で、底部に多数の透孔を有し、容器の短辺側に板状の記録部を設け、その内側に係止溝を有し、他の短辺側の側壁に係止部を有する。また、蓋は、着脱自在な板状体で、板面に多数の透孔を有し、裏面には前記カセット本体に嵌合するリブを有し、一方の短辺側には前記係止溝に嵌入係合する傾斜状係止片を有し、他方の短辺側にはカセット本体よりも僅かに大き目の突縁部を有し、前記係止部と係合する係止片を有している（例えば、特許文献１参照）。
【０００３】
上記のようなカセットを使用して顕微鏡標本を作製するには、該特許文献1 に記載されているように、まず、図４に示すように、耐薬品性合成樹脂からなるカセット本体１１と蓋１２とを具備してなる。カセット本体１１は、上面を開放した方形の容器で、底部に多数の透孔１３を有し、短辺側の一側壁の外側に底部に向かって末広がり状に傾斜した板状の記録部１４を設け、その内側に係止溝１５を有し、他の側壁の外側に係止部１６を有する。
【０００４】
蓋１２は、着脱可能な板状体で、板面に多数の透孔１７を有し、裏面の外周面に沿ってカセット本体内に嵌合するリブ１８を有し、短辺側の一方側には前記係止溝１５の記録部１４の裏面に沿って嵌入係合する傾斜状係止片１９を有し、短辺側の他方側にはカセット本体１よりも僅かに大き目の突縁部２０を有し、係合部６と係合する係止片２１を有している。
【０００５】
上記カセットを使用して顕微鏡標本を作製するには、まず、採取した検体２２をカセット本体１１内に収容して蓋１２を取り付け、記録部１４に被検者の氏名等を記録しておく。蓋１２の傾斜状係止片１９は、カセット本体１１の係止溝１５に係合し、また係止片２１はカセット本体１１の係止部１６に係合して蓋１２を固定する。
【０００６】
続いて、透孔１７、１３を通じて、検体２２を水洗し、次いでアルコールにより検体２２の水分を除去し、キシレンにより後述する液状パラフィンとの親和性を付与する。
【０００７】
次に、図５に示すように、ステンレス製トレイ２３内に液状パラフィン２４を入れ、検体２２をカセット本体１１から取り出して液状パラフィン２４中に置いて検体２２に液状パラフィンを浸透させる。続いて、トレイ２３の段部にカセット本体１１を載せ、カセット本体１１の底部が液状パラフィン２４に浸るまで、液状パラフィン２４を検体２２上に注ぎ足す。
【０００８】
液状パラフィン２４が冷却固化した後トレイ２３を取り去ることにより、検体２２を包埋したパラフィン２４がカセット本体１１の底部に付着してなるパラフィンブロック２５（図６参照）を得る。
【０００９】
次に、図６に示すように、ミクロトーム２６上に装着したアダプター２７の基台２８上にパラフィンブロック２５を裏返して載せ、固定する。アダプター２７は、レバー２９の操作により、基台２８に設けた固定腕３０と可動腕３１との間にカセット本体１１を挟持して固定する。その際、カセット本体１１が記録部１４の傾斜により浮き上がるのを防止するため、両腕３０、３１の先端に形成した係止爪３２がカセット本体１１の底部の角に係合する。続いて、パラフィン２４の検体２２を包埋した部分を矢印ａ方向にスライスし、スライスした薄片に染色、その他の所定の処理を施すことにより顕微鏡標本を得るのである。
【特許文献１】特開2001-324428 号公報
【発明の開示】
【発明が解決しようとする課題】
【００１０】
しかしながら、顕微鏡標本を作製するために、カセット本体の底面と平行方向にスライスしてスライス薄片を得るという上記の方法では、カセット本体の底部に付着してなるパラフィンブロックがスライス時にカセット本体の底部から剥離しないことが必要である。しかるに、従来のカセット底部の表面は平滑状であるためパラフィンとの結合力が悪く、上記した剥離現象が生じる場合があり、逆に、この結合力を強くしようとすれば、カセット本体の底部に形成される透孔１３中の柱状のパラフィン２４ａを介して連結されるカセットの底部内側のパラフィン部２４ｂの高さＨを大きくする必要があり、その結果、多量のパラフィンが必要となり不経済となるばかりでなく、冷却固化するのに長時間を要し、作業性が極端に悪くなるという問題があった（図５参照）。
【００１１】
特に、検体が小さく、検体が洩れないように透孔１３が小さいカセットの場合は、底部内側のパラフィン部２４ｂの高さＨを大きくしても透孔１３中の柱状のパラフィン２４ａが細いため、この柱状パラフィン２４ａを介した、カセット底部外側の検体２２を包埋したパラフィン部２４ｃとカセット底部内側のパラフィン部２４ｂとの連結力が弱く、専用スライス装置であるミクロトームでのスライス時に、検体包埋パラフィン部２４ｃがカセット本体の底部から剥離し易く、その結果、貴重な検体が台無しになる場合があるという課題があった。
【００１２】
本発明は、上記課題に鑑み、医療検査用顕微鏡の標本となる検体をミクロトームでスライスして切り出す際において、パラフィンで包埋してなるパラフィンブロックが、カセット本体の底部から剥離しないように改善された医療検査用カセットを提供することを目的する。
【課題を解決するための手段】
【００１３】
上記目的を達成するために、本発明の第１は、上面を開放し、多数の透孔を有する方形の容器からなるカセット本体と、多数の透孔を有し、前記カセット本体と着脱自在に係合する蓋体とからなる医療検査用カセットにおいて、前記カセット本体の底部外表面を微細な凹凸形状としたことを特徴とする医療検査用カセットを内容とする（請求項１）。
【００１４】
好ましい態様としての請求項２は、微細な凹凸形状が波形状からなる請求項1 記載の医療検査用カセットである。
【００１５】
好ましい態様としての請求項３は、微細な凹凸形状がシボからなる請求項1 記載の医療検査用カセットである。
【００１６】
好ましい態様としての請求項４は、微細な凹凸形状が梨地からなる請求項1 記載の医療検査用カセットである。
【発明の効果】
【００１７】
本発明の医療検査用カセットは、上面を開放し多数の透孔を有する方形の容器からなるカセット本体と、多数の透孔を有しカセット本体と着脱自在に係合する蓋体とからなる医療検査用カセットにおいて、カセット本体の底部外表面を微細な凹凸形状としたことにより、該凹凸形状とパラフィンとが絡まり合い結合力が著しく改善されると共に、これらの凹凸形状の部分がスライス時における圧力に抗するため、カセットの透孔に充填された柱状のパラフィン部に複雑に作用する力、すなわち剪断、曲げ、引張などの応力が軽減され、パラフィンで包埋してなるパラフィンブロックが、カセット本体の底部から剥離するトラブルが防止される。
【００１８】
また、その結合力が強化された分、カセット底部の透孔内に形成された柱状のパラフィン部を介して連結されるカセットの底部内側のパラフィンの高さを大きくする必要がなくなり、その結果、少量のパラフィンで済むので経済的であるばかりでなく、その冷却固化時間が短縮されるので、作業性が格段に向上するという効果が得られる。
【発明を実施するための最良の形態】
【００１９】
本発明の医療検査用カセットは、上面を開放し、多数の透孔を有する方形の容器からなるカセット本体と、多数の透孔を有し、前記カセット本体と着脱自在に係合する蓋体とからなる医療検査用カセットにおいて、前記カセット本体の底部外表面を微細な凹凸形状とした形態であって、その微細な凹凸形状としては、波形状、シボ、梨地等が好ましい。
【００２０】
本発明における医療検査用カセットは、カセット本体と蓋体とからなる全ての医療検査用カセットが含まれ、例えば、前記した特開２００１−３２４４２８号公報に記載された医療検査用カセットの他、実用新案登録第２５０７４４６号に記載された、長辺側の片側又は両側壁外面に、アダプター固定用の係止部を設けた医療検査用カセット、実用新案登録第２５４７４１０号に記載された、カセット本体の対向する側壁の外側に設けた係止部と、板状蓋体の裏面の対向する２辺に垂設された舌片状係止部を前記係止部に係脱可能に係合する医療検査用カセット、特開２００４−２８７８７号や特開２００４−３７３４７号に記載された、蓋に設けたＵ字状係止部とカセット本体に設けた係止溝とでワンタッチで開蓋又は閉蓋できる医療検査用カセット等が含まれる。
【実施例】
【００２１】
以下、本発明の医療検査用カセットの実施例を示す図面に基づいて説明するが、本発明はこれらにより何等限定されるものではない。
【００２２】
実施例１
本実施例として、図４で示したのと同様の医療検査用カセットにおいて、カセット本体の底部外表面を微細な波形状とした形態について以下に説明する。
図１(a) は、カセット本体の底部外表面を部分的に示した下面図、図1(b)は、図１(a) のA-A 側断面図である。
図1(a)、(b) に示すように、カセット本体1 の底部2 には多数の透孔3 が設けられ、また、これらの透孔3 を区画している格子部4 には微細な凹凸形状として波形状部５を設けている。５ａは波形状部５の山部、５ｂは同谷部である。
【００２３】
医療検査用顕微鏡標本の作製に当たっては、底部にパラフィンブロックを付着したカセット本体が、ミクロトームの基台上に裏返して載せられた上固定され、そしてパラフィンブロックがミクロトームによってスライスされ薄片を得るという基本工程は、本実施例においても従来技術と同様であるが、本実施例１においては、カセット本体1 の底部2 の外表面の格子部4 には、微細な波形状部5 を設け、且つ、この波形状部5 を形成する山部５ａ、谷部５ｂの方向は、縦・横の格子部4 とも同じ方向で、スライスする方向（図1(b)のS で示す) と直交する方向に設けられている。
【００２４】
また、カセット本体1 の底部2 に設けられる波形状の種類としては、図1(a)、(b) では三角波形として示しているが、正弦波形、矩形波形、台形波形などであってもよく、カセット本体1 の底部の厚みt にもよるが、可能な限りその波形振幅h は大きい方がパラフィンとの結合力が強くなるので望ましい。
【００２５】
なお、図１(a) 、(b) では、この波形状部5 を形成する山部５ａ、谷部５ｂは、縦・横の格子部4 共にS で示すスライス方向と直交する方向にのみ設けているが、スライス方向と同じ方向に設けてもよく、また直交する方向と同じ方向とを適宜組み合わせても差し支えない。
【００２６】
このように、カセット本体1 の底部外表面に波形状部5 を設けたことにより、パラフィンとの結合力が一層強化されると共に、これらの波形状部5 が、スライス時における圧力に抗するため、カセット本体1 の透孔3 に充填される柱状のパラフィン部２４ａ（図５参照）に作用する力が小さくなり、パラフィンで検体を包埋してなるパラフィンブロック２５が、カセット本体1 の底部2 から剥離することを防止することができる。
【００２７】
また、パラフィンブロック２５とカセット本体1 の底部2 との結合力が強化された分だけ、カセット本体1 の底部2 に形成される柱状のパラフィン部２４ａを介して連結されるカセット本体1 の底部内側のパラフィン部２４ｂの高さＨを低くすることができるので少量のパラフィンで済み経済的であるとともに、その冷却固化時間が短縮され作業性を向上することができる（図５参照）。
【００２８】
実施例２
本実施例における医療検査用カセットは、図2 に示すように、カセット本体1 の底部2 に多数設けられた透孔3 を区画する格子部4 に、微細な凹凸形状としてシボ６を設けた形態である。
シボ６の一つひとつの曲線模様はランダムに刻まれて微細な凹凸部を形成しており、これによって実施例１の場合と同様、パラフィンとの結合力が一層強化され、また、これらシボ６による凹凸形状が、スライス時における圧力に抗するため、パラフィンで包埋してなるパラフィンブロック２５が、カセット本体1 の底部2 から剥離することを防止することができる。尚、シボ６はその形状（模様）に制限はなく、また密度は粗の部分と密の部分とを組み合わせても良い。
【００２９】
なお、この形態においては、シボ６はその向きがランダムな曲線模様を描いているので、カセット本体1 に対するスライスの方向を特に考慮する必要がない。
【００３０】
更にまた、パラフィンブロック２５とカセット本体1 の底部2 との結合力が強化された分だけ、カセット本体1 の底部2 に形成される柱状のパラフィン部２４ａを介して連結されるカセット本体1 の底部内側のパラフィン部２４ｂの高さＨを低くすることができるので少量のパラフィンで済むので経済的であり、また、その冷却固化時間が短縮され作業性を更に向上することが可能となる。
【００３１】
実施例３
本実施例における医療検査用カセットは、図3 に示すように、カセット本体1 の底部2 に多数設けられた円形状の透孔3aを区画する格子部4 に、微細な凹凸形状として梨地７を形成した形態である。なお、透孔３ａの形状は本実施例では円形状としているが、先の実施例1 、2 に示した方形状でもよく、また、楕円、その他の多角形状であってもよい。
この実施例によっても、前述の実施例2 と同様、スライスの方向を考慮する必要がないばかりでなく、カセット本体1 の底部2 とパラフィンとの結合力が一層強化されるので、パラフィンブロック２５が、カセット本体1 の底部2 から剥離することが防止され、また、少量のパラフィンで済むので経済的であり、更に、その冷却固化時間が短縮されるので作業性が一層向上するという効果を奏する。
【産業上の利用可能性】
【００３２】
叙上のとおり、本発明の医療検査用カセットは、カセット本体の底部外表面を微細な凹凸形状としたことにより、該凹凸形状とパラフィンとが絡まり合い結合力が著しく改善されると共に、これらの凹凸形状の部分が、スライス時における圧力に抗するため、カセットの透孔に充填された柱状のパラフィン部に複雑に作用する力、すなわち剪断、曲げ、引張などの応力が軽減され、パラフィンで包埋してなるパラフィンブロックが、カセット本体の底部から剥離するトラブルが防止される。
【００３３】
また、その結合力が強化された分だけ、カセット底部の透孔内に形成された柱状のパラフィン部を介して連結されるカセットの底部内側のパラフィンの高さを大きくする必要がなくなり、その結果、少量のパラフィンで済むので経済的であるばかりでなく、その冷却固化時間が短縮されるので、作業性が格段に向上する。
【図面の簡単な説明】
【００３４】
【図１】(a) 本発明の実施例1 における医療検査用カセットにおけるカセット本体の底部外表面を示す部分下面図である。(b) 同カセット本体の図１(a) に示したA-A 断面図である。
【図２】本発明の実施例2 における医療検査用カセットにおけるカセット本体の底部外表面を示す部分下面図である。
【図３】本発明の実施例3 における医療検査用カセットにおけるカセット本体の底部外表面を示す部分下面図である。
【図４】従来の医療検査用カセットの一例を示す概略断面図である。
【図５】従来の医療検査用カセットを用いて検体をパラフィンに包埋させる状態を示す概略断面図である。
【図６】図５で得られるパラフィンブロックをミクロトームでスライスする状態を示す概略図である。
【符号の説明】
【００３５】
１  カセット本体
２  底部
３  透孔
３ａ  円形状の透孔
4   格子部
5   波形状部
５ａ  山部
５ｂ  谷部
６  シボ
７  梨地
１１  カセット本体
１２  蓋
１３  透孔
１４  記録部
１５  係止溝
１６  係止部
１７  透孔
１８  リブ
１９  傾斜状係止片
２０  突縁部
２１  係止片
２２  検体
２３  トレイ
２４  パラフィン
２４ａ  透孔３内の柱状のパラフィン部
２４ｂ  カセットの底部内側のパラフィン部
２４ｃ  カセット底部外側の検体を包埋したパラフィン部
２５  パラフィンブロック
２６  ミクロトーム
２７  アダプター
２８  基台
２９  レバー
３０  固定腕
３１  可動腕
３２  係止爪
【図１】
2006300620.tif 000003
【図２】
2006300620.tif 000004
【図３】
2006300620.tif 000005
【図４】
2006300620.tif 000006
【図５】
2006300620.tif 000007
【図６】
2006300620.tif 000008